(57)【要約】      （修正有）【課題】衣類等に付着する菌及びウイルスを低減できる収納袋を提供する。【解決手段】収納袋１５は、漆喰含有層を有するシート１０により形成され、シートの周辺部の一部に閉鎖部５を有し、漆喰含有層は内側に露出するように設けられている。シートは、紙、織布、合成紙、編布、不織布及び樹脂フィルムから選ばれた１つにより形成された基材と、基材上に設けられた漆喰含有層とを有していてもよい。【選択図】図２
0003232278.tif 000002
【実用新案登録請求の範囲】
【請求項１】
漆喰含有層を有するシートにより形成され、前記漆喰含有層が内側に露出するように設けられた収納袋。
【請求項２】
請求項１に記載の収納袋において、
前記シートは、紙、織布、合成紙、編布、不織布及び樹脂フィルムから選ばれた１つにより形成された基材と、前記基材上に設けられた前記漆喰含有層とを有していることを特徴とする収納袋。
【請求項３】
請求項１又は２に記載の収納袋において、
２枚の前記シートの前記漆喰含有層同士を向かい合わせた状態で、周縁部の一部を接着、縫製又は融着させることにより閉鎖することにより作製されることを特徴とする収納袋。
【請求項４】
請求項１〜３のうちいずれか１項に記載の収納袋において、
前記基材は紙により形成されており、衣服収納用であることを特徴とする収納袋。
【考案の詳細な説明】
【技術分野】
【０００１】
本明細書に開示された技術は、物品を収納する袋に関する。
【背景技術】
【０００２】
衣類等の物品を一時的に保管しておくための収納袋が一般的に用いられている。特許文献１には、抗菌・消臭剤を含んだ樹脂フィルムを備えた着物保管袋が開示されている。この袋に着物を収納しておくことにより、雑菌の付着を防ぎ、着物を清浄な状態で保管しておくことができる。
【先行技術文献】
【特許文献】
【０００３】
【特許文献１】実用新案登録第３１７１０５１号公報
【考案の概要】
【考案が解決しようとする課題】
【０００４】
抗菌・消臭剤を含んだ樹脂フィルムでは、十分な抗菌効果が得られない場合がある。また、樹脂フィルムに抗菌効果がある場合でも、抗ウイルス効果が無い場合には、衣類等を介した接触感染を防ぐことはできない。
【０００５】
上記課題に鑑みて、本考案は、衣類等に付着する菌及びウイルスを低減できる収納袋を提供することを目的とする。
【課題を解決するための手段】
【０００６】
本明細書に開示された収納袋は、漆喰含有層を有するシートにより形成され、前記漆喰含有層が内側に露出するように設けられている。
【考案の効果】
【０００７】
本明細書に開示された収納袋によれば、収納された物品を衛生的に保管することができる。
【図面の簡単な説明】
【０００８】
【図１】図１は、漆喰含有層を有するシートの一例を示す断面図である。
【図２】図２は、図１に示すシートを用いて作製された収納袋の一例を示す平面図である。
【考案を実施するための形態】
【０００９】
（実施形態）
図１は、漆喰含有層を有するシートの一例を示す断面図であり、図２は、図１に示すシートを用いて作製された収納袋の一例を示す平面図である。
【００１０】
図２に示すように、本明細書に開示された収納袋１５は、漆喰含有層１を有するシート１０により形成されている。このシート１０は、基材３と、基材３の一方の面に設けられた漆喰含有層１とを有している。
【００１１】
収納袋１５は、それぞれの漆喰含有層１同士が向かい合った状態で重ね合わされた２枚のシート１０により形成されている。シート１０の平面形状は特に限定されないが、略四辺形状、台形状、略円形等であってもよい。シート１０の周縁部の一部は接着剤による接着、糸による縫製又は超音波圧着による融着等により形成された閉鎖部５となっている。シート１０の周縁部の残りの一部は閉鎖されておらず、衣類等の物品を出し入れするための開口部となっている。図２の例では、収納袋１５の上部及び下部が開口部となっている。
【００１２】
シート１０のサイズは特に限定されないが、例えばスーツ等が入るサイズ（例えば縦１ｍ×横０．５ｍ程度）であってもよいし、これより大きくても小さくてもよい。少なくとも、収納袋１５の内部に所望の物品が収納できるようなサイズであればよい。
【００１３】
収納袋１５の形状は特に限定されないが、図２に示すように、ハンガーに掛けた衣類を内部に収納できる形状であってもよい。
【００１４】
基材３は、例えば樹脂フィルム、合成紙、紙、織布、編布及び不織布から選ばれた少なくとも１つにより形成されていてもよい。樹脂フィルムの構成材料としては特に限定は無く、例えばポリエステル樹脂、ポリプロピレン樹脂、ポリエチレン樹脂、ポリ塩化ビニル樹脂、アクリル樹脂等を用いることができる。
【００１５】
紙としては、樹脂を含浸させた含浸紙や公知の障子紙、和紙等が基材３の材料として使用できる。
【００１６】
本実施形態の収納袋１５によれば、漆喰含有層１が内側に露出しているので、袋に入れた物品が漆喰含有層１に直接触れることとなる。漆喰含有層１に含まれる消石灰を主成分とする漆喰成分には消臭・抗菌・抗ウイルス等の作用がある。このため、収納袋１５に納められた物品に付着した微生物、細菌、ウイルス等は水分の存在下でその数及び感染力が抑制される。また、付着した臭いが低減される。
【００１７】
漆喰含有層１は、水酸化カルシウムを含む塗料の硬化物により形成される。このような塗料としては、関西ペイント株式会社製「アレスシックイモンティアート」（「アレスシックイ」は登録商標）、株式会社ダイワ製「ＥＦ漆喰ＥＡＳＹ」、日本プラスター株式会社製「漆喰うま〜くヌレール」等の市販品を用いることができる。これらの塗料は、例えば水酸化カルシウム、着色・体質顔料及び水溶性結合材樹脂を含有しており、塗料１００質量部中の水酸化カルシウムの含有量は１０質量部〜４０質量部程度であってもよい。
【実施例】
【００１８】
＜製造方法＞
以下に、実施例に基づいて本考案をより詳細に説明するが、本考案はこれらの実施例により限定されるものではない。
【００１９】
ー収納袋の作製ー
溶剤に希釈された再剥離タイプの市販のアクリル系粘着剤Ａに所定量の硬化剤を添加することにより、塗液を作製した。この塗液を、市販の剥離ライナーの平坦な離型面に塗布し、乾燥させることにより所定の厚みを有する粘着剤層を形成した。
【００２０】
次いで、粘着剤層が形成された剥離ライナーの離型面を、市販の障子紙（基材；三和製紙株式会社製「サンアップＳ−０７」）と貼り合わせた。次に、市販のアクリル樹脂系漆喰塗料（関西ペイント株式会社製、商品名：アレスシックイモンティアート（固形分５２質量％含有）、「アレスシックイ」は登録商標）を基材上にナイフ式コーティング法により塗布し、乾燥させた。その後、剥離ライナー及び粘着剤層を基材から剥がすことにより、基材と漆喰含有層とを有するシートを作製した。漆喰含有層の厚みは５０μｍであった。
【００２１】
次いで、シートに公知の抜き加工を施すことにより、図２に示すような形状に加工した。２枚の加工されたシートを、漆喰含有層が内側に向かい合うように重ねた状態で、周縁部の一部を縫って閉鎖部を形成することにより、収納袋を作製した。
【００２２】
＜漆喰含有層の抗菌・抗ウイルス性の確認＞
上述の方法により作製されたシートの漆喰含有層上に、市販のｐＨ試験紙を載せ、スポイトを用いて純粋０．３ｇを滴下し、試験紙の色変化に基づいて漆喰含有層のｐＨを確認した。
【００２３】
色見本を用いて漆喰含有層の表面ｐＨを測定したところ、ｐＨ１１以上であることが確認され、漆喰含有層が十分な抗菌・抗ウイルス効果を有していることが分かった。
【産業上の利用可能性】
【００２４】
本明細書に開示された収納袋は、衣類等物品の保管に用いることができる。
【符号の説明】
【００２５】
１        漆喰含有層
３        基材
１０      シート
１５      収納袋
【図１】
0003232278.tif 000003
【図２】
0003232278.tif 000004
【手続補正書】
【提出日】令和3年1月15日(2021.1.15)
【手続補正１】
【補正対象書類名】実用新案登録請求の範囲
【補正対象項目名】請求項４
【補正方法】変更
【補正の内容】
【請求項４】
請求項２に記載の収納袋において、
前記基材は紙により形成されており、衣服収納用であることを特徴とする収納袋。